(57)【要約】【課題】フレキシブル配線板のフレームへの仮固定等の作業を容易にし、フレキシブル配線板の仮固定の解除を行っても仮固定の残滓が存在しないようにできる表示装置の提供。【解決手段】少なくとも、表示パネル、制御回路基板を備え、これらはフレームによってモジュール化され、前記制御回路基板に接続され前記フレームの外方へ引き出されるフレキシブル配線板を備える表示装置であって、前記フレームの表面の一部に前記フレキシブル配線板の一部を係止する係止部が形成され、前記係止部は、前記フレームにコ字状の孔の形成によって形成される舌片部を備え、前記フレキシブル配線板の前記係止部における係止は、前記舌片部の下方に前記フレキシブル配線板の一部を位置づけることによってなされる。【選択図】図１
2010002818.tif 000002
【特許請求の範囲】
【請求項１】
少なくとも、表示パネル、制御回路基板を備え、これらはフレームによって内包され、前記制御回路基板に接続され前記フレームの外方へ引き出されるフレキシブル配線板を備える表示装置であって、
前記フレームの表面の一部に前記フレキシブル配線板の一部を係止する係止部が形成され、
前記係止部は、前記フレームにコ字状の孔の形成によって形成される舌片部を備え、
前記フレキシブル配線板の前記係止部における係止は、前記舌片部の下方に前記フレキシブル配線板の一部を位置づけることによってなされることを特徴とする表示装置。
【請求項２】
前記係止部は前記フレームの表面に複数形成されていることを特徴とする請求項１に記載の表示装置。
【請求項３】
前記係止部における舌片部は複数形成されていることを特徴とする請求項１に記載の表示装置。
【請求項４】
前記係止部における各舌片部は、その先端が他の舌片部の先端と逆の方向に指向していることを特徴とする請求項３に記載の表示装置。
【請求項５】
前記舌辺部はフレームと面一に形成されていることを特徴とする請求項１に記載の表示装置。
【請求項６】
前記表示パネルは液晶表示パネルであり、フレーム内に光学シートおよびバックライトを備えることを特徴とする請求項１に記載の表示装置。
【請求項７】
前記フレキシブル配線板は表示装置に電源を供給する配線板であることを特徴とする請求項１に記載の表示装置。
【発明の詳細な説明】
【技術分野】
【０００１】
本発明は表示装置に係り、特に、モジュール化された表示装置からフレキシブル配線板が引き出されている表示装置に関する。
【背景技術】
【０００２】
たとえば車載用あるいはアミューズメント用に用いられる液晶表示装置は、液晶表示パネル、光学シート、バックライト、および制御回路基板等をフレームによってモジュール化するのが通常となっている。
【０００３】
このような液晶表示装置のモジュールにおいて、電源を該液晶表示装置と別個に設けられる外部基板から供給する場合、該モジュールから約５０〜２００ｍｍの長さのフレキシブル配線板が引き出されるようにして構成される。
【０００４】
これにより、フレキシブル配線板は、モジュールにおける固定箇所から先端までの間において、組立性を向上させるため、可動自由な状態に解放されて構成される。
【０００５】
しかし、モジュール化された液晶表示装置の取り扱いあるいは運搬の際において、フレキシブル配線板が損傷してしまうのを回避するため、該フレキシブル配線板をフレームに仮固定させておくことが要求され、従来、その仮固定は、粘着テープをフレキシブル配線板とともにフレームへの貼付を行うことによって行っていた。
【発明の開示】
【発明が解決しようとする課題】
【０００６】
しかし、上述したフレキシブル配線板のフレームへの仮固定は、粘着テープを用いなければならず、また、フレキシブル配線板の複数箇所にわたって粘着テープの貼付を行わなければならない場合には、その作業を繁雑化させる不都合を有する。
【０００７】
そして、フレキシブル配線板を外部基板に接続させる際には、粘着テープを剥がさなければならず、その作業も繁雑となる。また、粘着テープを剥がした部分のフレーム面は粘着剤が残存しており、製品の美観面においても不都合を生じることになる。
【０００８】
本発明の目的は、フレキシブル配線板のフレームへの仮固定等の作業を容易にし、フレキシブル配線板の仮固定の解除を行っても仮固定の残滓が存在しないようにできる表示装置を提供することにある。
【課題を解決するための手段】
【０００９】
本発明の構成は、たとえば、以下のようなものとすることができる。
【００１０】
（１）本発明の表示装置は、たとえば、少なくとも、表示パネル、制御回路基板を備え、これらはフレームによって内包され、前記制御回路基板に接続され前記フレームの外方へ引き出されるフレキシブル配線板を備える表示装置であって、
前記フレームの表面の一部に前記フレキシブル配線板の一部を係止する係止部が形成され、
前記係止部は、前記フレームにコ字状の孔の形成によって形成される舌片部を備え、
前記フレキシブル配線板の前記係止部における係止は、前記舌片部の下方に前記フレキシブル配線板の一部を位置づけることによってなされることを特徴とする。
【００１１】
（２）本発明の表示装置は、たとえば、（１）において、前記係止部は前記フレームの表面に複数形成されていることを特徴とする。
【００１２】
（３）本発明の表示装置は、たとえば、（１）において、前記係止部における舌片部は複数形成されていることを特徴とする。
【００１３】
（４）本発明の表示装置は、たとえば、（３）において、前記係止部における各舌片部は、その先端が他の舌片部の先端と逆の方向に指向していることを特徴とする。
【００１４】
（５）本発明の表示装置は、たとえば、（１）において、前記舌辺部はフレームと面一に形成されていることを特徴とする。
【００１５】
（６）本発明の表示装置は、たとえば、（１）において、前記表示パネルは液晶表示パネルであり、フレーム内に光学シートおよびバックライトを備えることを特徴とする。
【００１６】
（７）本発明の表示装置は、たとえば、（１）において、前記フレキシブル配線板は表示装置に電源を供給する配線板であることを特徴とする。
【００１７】
なお、上記した構成はあくまで一例であり、本発明は、技術思想を逸脱しない範囲内で適宜変更が可能である。また、上記した構成以外の本発明の構成の例は、本願明細書全体の記載または図面から明らかにされる。
【発明の効果】
【００１８】
このように構成した液晶表示装置によれば、フレキシブル配線板のフレームへの仮固定等の作業を容易にし、フレキシブル配線板の仮固定の解除を行っても仮固定の残滓が存在しないようにできる。
【００１９】
本発明のその他の効果については、明細書全体の記載から明らかにされる。
【発明を実施するための最良の形態】
【００２０】
本発明の実施例を、図面を参照しながら説明をする。なお、各図および各実施例において、同一または類似の構成要素には同じ符号を付し、説明を省略する。
【００２１】
図２（ａ）は、本発明の表示装置を裏面側から観察した分解斜視図である。図２（ａ）に示す表示装置はたとえば液晶表示装置を例に揚げて示している。また、図２（ｂ）は、図２（ａ）のｂ−ｂ線における断面図を示している。
【００２２】
まず、図２において、液晶表示モジュールＬＤＭ、制御回路基板（Ｔ−ｃｏｎ）ＴＣＮ、および制御回路基板ＴＣＮを被うカバーの機能を有するカバーフレームＣＦＲを備えている。
【００２３】
液晶表示モジュールＬＤＭには、該表示装置の観察側から、液晶表示パネルＰＮＬ、光学シートＯＳ、およびバックライトＢＬが順次配置され、これらはフレームＦＲによってモジュール化されている。
【００２４】
液晶表示パネルＰＮＬは、その表示領域において光透過量が変調される各画素がマトリックス状に配置されて構成されている。このため、液晶表示パネルＰＮＬの各画素に光を照射するためのバックライトＢＬが備えられ、このバックライトＢＬからの光は光学シートＯＳを介して液晶表示パネルＰＮＬの前記表示領域の全域にわたって照射されるようになっている。光学シートＯＳはたとえばバックライトＢＬからの光を拡散させる拡散シート等から構成されている。
【００２５】
なお、前記フレームＦＲは、複数のフレームから構成され、それらが互いに係合されることにより、液晶表示パネルＰＮＬ、バックライトＢＬ等を収納するフレームとして構成されている。なお、前記フレームＦＲには液晶表示パネルＰＮＬの表示領域を露出させるための開口ＯＭが形成されている。
【００２６】
観察者に対して液晶表示モジュールＬＤＭの背面には、制御回路基板ＴＣＮが配置され、この制御回路基板ＴＣＮには、液晶表示パネルＰＮＬを表示駆動させるための回路、あるいはバックライトＢＬの輝度制御をするための回路が搭載されている。
【００２７】
そして、制御回路基板ＴＣＮを外的な衝撃から保護するため、該制御回路基板ＴＣＮを被うようにしてたとえば前記液晶表示モジュールＬＤＭのフレームＦＲに係合されるカバーフレームＣＦＲが備えられている。
【００２８】
前記制御回路基板ＴＣＮにはフレキシブル配線板ＦＬＷの一端がコネクタＣＮ１を介して電気的に接続され、該フレキシブル配線板ＦＬＷはカバーフレームＣＦＲに形成された配線板引出孔ＨＬを通して該カバーフレームＣＦＲの外方に引き出されるようになっている。このフレキシブル配線板ＦＬＷの長さは約５０〜２００ｍｍとなっている。また、フレキシブル配線板ＦＬＷは、並設された複数の配線を備えた平板状の配線板からなり、たとえば前記制御回路基板ＴＣＮに電源等を供給するようになっている。このため、フレキシブル配線板ＦＬＷの他端は図示しない外部基板に電気的に接続するためのコネクタＣＮ２が取付けられている。
【００２９】
フレキシブル配線板ＦＬＷが引き出されたカバーフレームＣＦＲの面には、該フレキシブル配線板ＦＬＷを係止させる係止部がたとえば２個（図中符号ＤＴＮ１、ＤＴＮ２で示す）形成されている。
【００３０】
係止部ＤＴＮ１はフレキシブル配線板ＦＬＷの固定箇所に近く、係止部ＤＴＭＮ２はフレキシブル配線板ＦＬＷの固定箇所から遠くに配置され、それぞれ、たとえばカバーフレームＣＦＲの直交する各辺に近接して形成されている。
【００３１】
係止部ＤＴＮ１、ＤＴＮ２は、それぞれ、図３に示すように、カバーフレームＣＦＲに、コ字状の孔ＳＬを形成することによって形成される舌片部ＴＧを備えて構成されている。このように構成された係止部ＤＴＮ１、ＤＴＮ２は、フレキシブル配線板ＦＬＷをその各長手方向辺のうちの一方の辺から図中矢印Ａ方向に差し込み、該フレキシブル配線板ＦＬＷの一部を舌片部ＴＧの下側に位置づけることによって、前記フレキシブル配線板ＦＬＷを係止できるようになる。
【００３２】
図１（ａ）は、表示装置をカバーフレームＣＦＲ側から観た図で、前記係止部ＤＴＮ１、ＤＴＮ２によって、フレキシブル配線板ＦＬＷをカバーフレームＣＦＲに係止させた状態を示した図である。図１（ｂ）は、図１（ａ）のｂ−ｂ線における断面図を示している。
【００３３】
フレキシブル配線板ＦＬＷは、それぞれ係合部ＤＴＮ１、ＤＴＮ２において、舌片部ＴＧの下側に位置づけられて配置され、カバーフレームＣＦＲの面と垂直方向への移動が規制され、該フレキシブル配線板ＦＬＷのコネクタＣＮ２側の自由端がふらつくようなことがなくなる。
【００３４】
該フレキシブル配線板ＦＬＷのカバーフレームＣＦＲへの係止を解除させようとする場合、該フレキシブル配線板ＦＬＷを、それぞれ係合部ＤＴＮ１、ＤＴＮ２において、舌片部ＴＧの先端側へ移動させることによって、係合部ＤＴＮ１、ＤＴＮ２から容易に離脱させることができる。
【００３５】
この場合、図１（ｂ）からも明らかとなるように舌片ＴＧをカバーフレームＣＦＲと面一にしておくことで、フレキシブル配線板ＦＬＷを係合部ＤＴＮ１、ＤＴＮ２から離脱させる際に、ある程度の力を要することになり、不用意にフレキシブル配線板ＦＬＷが係合部ＤＴＮ１、ＤＴＮ２から離脱してしまうのを防止できるようになる。
【００３６】
このように構成した表示装置は、フレキシブル配線板ＦＬＷのフレームへの仮固定の際に、粘着テープを用いず、係止部ＤＴＮに差し込むだけで済み、その作業を容易にすることができる。そして、粘着テープを用いていないことから、フレキシブル配線板ＦＬＷの仮固定の解除を行っても粘着剤等の残滓が存在しないようにできる。
【００３７】
上述した実施例では、係止部ＤＴＮは一つの舌辺部ＴＧを備えるように構成したものである。しかし、図４（ａ）に示すように、複数（図では２つ）の舌片部ＴＧを並設させて形成するようにしてもよい。この場合、カバーフレームＣＦＲの孔ＳＬは互いに連結されたものとなるが、それぞれの舌片部ＴＧはコ字状の孔ＳＬを形成することによって形成されるものと把握できる。
【００３８】
また、図４（ｂ）に示すように、係止部ＤＴＮに、複数の舌片部ＴＧを形成する場合において、舌片部ＴＧの先端が他の舌片部ＴＧの先端と逆の方向に指向させるように形成することによって、不用意にフレキシブル配線板ＦＬＷが係合部ＤＴＮから離脱してしまうのを防止できるようになる。
【００３９】
上述した実施例は液晶表示装置を例に揚げて説明したものであるが、他の表示装置にも本発明を適用することができる。
【図面の簡単な説明】
【００４０】
【図１】本発明の表示装置の一実施例を示す要部構成図である。
【図２】本発明の表示装置の一実施例を示す概略構成図である。
【図３】本発明の表示装置の係合部の一実施例を示す斜視図である。
【図４】本発明の表示装置の係合部の他の実施例を示す平面図である。
【符号の説明】
【００４１】
ＬＤＭ……液晶表示モジュール、ＴＣＮ……制御回路基板、ＣＦＲ……カバーフレーム、ＰＮＬ……液晶表示パネル、ＯＳ……光学シート、ＢＬ……バックライト、ＦＲ……フレーム、ＤＴＮ、ＤＴＮ１、ＤＴＮ２……係止部、ＳＬ……コ字状孔、ＴＧ……舌片部、ＦＬＷ……フレキシブル配線板、ＣＮ１、ＣＮ２……コネクタ、ＨＬ……配線板引出孔。
【図１】
2010002818.tif 000003
【図２】
2010002818.tif 000004
【図３】
2010002818.tif 000005
【図４】
2010002818.tif 000006